(57)【要約】【課題】本発明は、オーディオ装置及びオーディオ装置の制御方法に関し、特にスイッチング方式の電力増幅回路を有する場合に適用して、スイッチング方式による電力増幅回路を有する場合でも、所望する番組を確実に試聴することができるようにする。【解決手段】本発明は、受信周波数に応じて、電力増幅回路のスイッチング周波数を可変する。【選択図】　　　　図１
2004048701.tif 000002
【特許請求の範囲】
【請求項１】
スイッチング方式によりオーディオ信号を増幅する電力増幅回路と、
前記電力増幅回路のスイッチング周波数を制御する制御手段とを備え、
前記制御手段は、
少なくとも中波による放送波を受信する場合、受信周波数に応じて、前記電力増幅回路のスイッチング周波数を可変する
ことを特徴とするオーディオ装置。
【請求項２】
前記制御手段は、
前記スイッチング周波数を前記受信周波数から遠ざけるように可変する
ことを特徴とする請求項１に記載のオーディオ装置。
【請求項３】
スイッチング方式による電力増幅回路でオーディオ信号を増幅するオーディオ装置の制御方法であって、
少なくとも中波による放送波を受信する場合、受信周波数に応じて、前記電力増幅回路のスイッチング周波数を可変する
ことを特徴とするオーディオ装置の制御方法。
【請求項４】
電力増幅回路用のクロックに同期したスイッチング動作によりオーディオ信号を増幅する電力増幅回路と、
少なくとも中波による放送波を受信して前記電力増幅回路に前記オーディオ信号を出力する放送受信部と、
それぞれスイッチングレギュレータ用のクロックに同期したスイッチング動作により動作用の電源を生成する複数のスイッチングレギュレータ回路と、
１つの生成基準信号より前記電力増幅回路用のクロック及び前記スイッチングレギュレータ用のクロックを生成するクロック生成回路とを備え、
前記クロック生成回路は、前記放送受信部における中波の受信周波数に応じて、前記生成基準信号の周波数を切り換えることにより、前記放送受信部における中波の受信に影響を与えないように、前記放送受信部における中波の受信周波数に応じて、前記電力増幅回路のスイッチング周波数と、前記複数のスイッチングレギュレータ回路のスイッチング周波数とを連動させて切り換える
ことを特徴とするオーディオ装置。
【請求項５】
前記複数のスイッチングレギュレータ回路は、
前記電力増幅回路の動作用電源を昇圧する昇圧回路を有し、
前記昇圧回路が前記電力増幅回路と一体に集積回路化されてなる
ことを特徴とする請求項４に記載のオーディオ装置。
【請求項６】
スイッチング方式による電力増幅回路でオーディオ信号を増幅するオーディオ装置の制御方法であって、
少なくとも中波による放送波を受信する場合、受信周波数に応じて、前記電力増幅回路におけるスイッチング動作の動作基準信号と、動作用電源を生成する複数のスイッチングレギュレータ回路におけるスイッチング動作の動作基準信号との生成基準信号の周波数を切り換えることにより、
前記中波の受信に影響を与えないように、前記受信周波数に応じて、前記電力増幅回路のスイッチング周波数と、前記複数のスイッチングレギュレータ回路のスイッチング周波数とを連動させて切り換える
ことを特徴とするオーディオ装置の制御方法。
【発明の詳細な説明】
【０００１】
【発明の属する技術分野】
本発明は、オーディオ装置及びオーディオ装置の制御方法に関し、特にスイッチング方式の電力増幅回路を有するシステムに適用することができる。本発明は、受信周波数に応じて、電力増幅回路のスイッチング周波数を可変することにより、スイッチング方式による電力増幅回路を有する場合でも、所望する番組を確実に試聴することができるようにする。
【０００２】
【従来の技術】
従来、オーディオ機器においては、電力増幅回路によりスピーカを駆動するようになされている。この電力増幅回路は、入力信号を線型に電力増幅するリニア方式と、入力信号より生成したパルス幅変調信号により最終段のトランジスタをスイッチングするスイッチング方式とに区分されるようになされている。
【０００３】
近年、カーオーディオ装置等のオーディオ機器においては、リニア方式に比して電力効率が高く、また発熱量が少ないことにより、スイッチング方式による電力増幅回路（いわゆるＤ級の電力増幅回路）が採用されるようになされている。
【０００４】
またこのようなオーディオ機器においては、スイッチングレギュレータ回路により動作用電源を生成するようになされており、例えば特開平１０−２９４６７２号公報においては、このようなスイッチングレギュレータ回路におけるスイッチング周波数が受信周波数等と一致しないように、スイッチング周波数を切り換えることにより、スイッチングレギュレータ回路によるノイズ等の影響を防止する方法が提案されるようになされている。
【０００５】
【特許文献１】
特開平１０−２９４６７２号公報
【０００６】
【発明が解決しようとする課題】
ところでスイッチング方式による電力増幅回路においては、パルス幅変調信号でスイッチング動作することにより、ノイズの発生が著しい欠点がある。
【０００７】
すなわちＤ級の電力増幅回路においては、このスイッチング動作の周波数（以下、スイッチング周波数と呼ぶ）が数１００〔ｋＨｚ〕〜数〔ＭＨｚ〕の範囲に設定され、これにより数１００〔ｋＨｚ〕〜数〔ＭＨｚ〕の周波数の範囲で不要輻射が発生する。
【０００８】
スイッチング方式による電力増幅回路を適用したオーディオ装置においては、スピーカと電力増幅回路との間にフィルタを配置したり、また電力増幅回路全体をシールドしたりすること等により、この種の不要輻射を防止する対策が施されているが、この種の不要輻射については、完全には、防止することができない。これに対してこのようなスイッチング周波数の周波数帯域には、中波によるラジオ放送の周波数帯域が含まれる。
【０００９】
これによりスイッチング方式による電力増幅回路を適用したオーディオ装置においては、中波によるラジオ放送の受信に影響を与え、著しい場合には、放送自体、何ら受信できなくなる問題がある。
【００１０】
本発明は以上の点を考慮してなされたもので、スイッチング方式による電力増幅回路を有する場合でも、所望する番組を確実に試聴することができるオーディオ装置及びオーディオ装置の制御方法を提案しようとするものである。
【００１１】
【課題を解決するための手段】
かかる課題を解決するため請求項１の発明においては、オーディオ装置に適用して、制御手段は、少なくとも中波による放送波を受信する場合、受信周波数に応じて、電力増幅回路のスイッチング周波数を可変する。
【００１２】
また請求項３の発明においては、スイッチング方式による電力増幅回路でオーディオ信号を増幅するオーディオ装置の制御方法に適用して、少なくとも中波による放送波を受信する場合、受信周波数に応じて、電力増幅回路のスイッチング周波数を可変する。
【００１３】
また請求項４の発明においては、オーディオ装置に適用して、放送受信部における中波の受信周波数に応じて、生成基準信号の周波数を切り換えることにより、放送受信部における中波の受信に影響を与えないように、放送受信部における中波の受信周波数に応じて、電力増幅回路のスイッチング周波数と、複数のスイッチングレギュレータ回路のスイッチング周波数とを連動させて切り換えるようにする。
【００１４】
また請求項６の発明においては、オーディオ装置の制御方法に適用して、少なくとも中波による放送波を受信する場合、受信周波数に応じて、電力増幅回路におけるスイッチング動作の動作基準信号と、動作用電源を生成する複数のスイッチングレギュレータ回路におけるスイッチング動作の動作基準信号との生成基準信号の周波数を切り換えることにより、中波の受信に影響を与えないように、受信周波数に応じて、電力増幅回路のスイッチング周波数と、複数のスイッチングレギュレータ回路のスイッチング周波数とを連動させて切り換える。
【００１５】
請求項１の構成によれば、オーディオ装置に適用して、制御手段は、少なくとも中波による放送波を受信する場合、受信周波数に応じて、電力増幅回路のスイッチング周波数を可変することにより、放送波の受信に影響を与えないようにスイッチング周波数を可変し、これにより放送波を確実に受信することができる。これによりスイッチング方式による電力増幅回路を有する場合でも、所望する番組を確実に試聴することができる。
【００１６】
これにより請求項３の構成によれば、スイッチング方式による電力増幅回路を有する場合でも、所望する番組を確実に試聴することができるオーディオ装置の制御方法を提供することができる。
【００１７】
また請求項４の構成によれば、オーディオ装置に適用して、放送受信部における中波の受信周波数に応じて、生成基準信号の周波数を切り換えることにより、放送受信部における中波の受信に影響を与えないように、放送受信部における中波の受信周波数に応じて、電力増幅回路のスイッチング周波数と、複数のスイッチングレギュレータ回路のスイッチング周波数とを連動させて切り換えることにより、電力増幅回路とスイッチングレギュレータ回路との影響を回避して放送波を受信することができ、これによりスイッチング方式による電力増幅回路を有し、かつスイッチングレギュレータ回路により動作用電源を生成する場合でも、所望する番組を確実に試聴することができる。
【００１８】
これにより請求項６の構成によれば、スイッチング方式による電力増幅回路を有し、かつスイッチングレギュレータ回路により動作用電源を生成する場合でも、所望する番組を確実に試聴することができるオーディオ装置の制御方法を提供することができる。
【００１９】
【発明の実施の形態】
以下、適宜図面を参照しながら本発明の実施の形態を詳述する。
【００２０】
（１）第１の実施の形態
（１−１）実施の形態の構成
図２は、本発明の実施の形態に係るカーオーディオ装置を示すブロック図である。このカーオーディオ装置１は、乗用車等に搭載される車載機器であり、各種放送による音楽、各種記録媒体を介して提供される音楽等をユーザーに提供する。
【００２１】
すなわちこのカーオーディオ装置１において、ソース再生部２は、メイン中央処理ユニット（メインＣＰＵ）３の制御により記録媒体に記録されたオーディオデータを再生してディジタル信号によりオーディオ信号を出力する。なおここでこの記録媒体は、コンパクトディスク、ミニディスク、ＤＶＤ（Ｄｉｇｉｔａｌ　Ｖｉｄｅｏ　Ｄｉｓｋ）等の光ディスク、ハードディスク、メモリカード等であり、これによりソース再生部２は、光ディスク装置、ハードディスク装置等により構成されるようになされている。
【００２２】
放送受信部４は、メイン中央処理ユニット３の制御により、放送番組を受信してディジタル信号によりオーディオ信号を出力する。すなわち放送受信部４は、アンテナ５を介して得られる各種放送波より、中波による放送、ＦＭ放送による放送波を選局するチューナー、このチューナーから出力される中間周波信号を増幅する中間周波回路、中間周波回路から出力される中間周波信号を検波してオーディオ信号を再生する検波回路により構成され、検波回路より得られるオーディオ信号を出力する。
【００２３】
入力切り換え部６は、メイン中央処理ユニット３の制御により、ソース再生部２から出力されるオーディオ信号、放送受信部４から出力されるオーディオ信号を選択して続く出力レベル調整部７に出力する。出力レベル調整部７は、メイン中央処理ユニット３の制御により、入力切り換え部６から出力されるオーディオ信号Ｓ１の音量、音質を補正して出力する。
【００２４】
電力増幅部８は、スイッチング方式による電力増幅回路であり、出力レベル調整部７から出力されるオーディオ信号Ｓ１に応じて、パルス幅変調信号を生成し、このパルス幅変調信号により最終段のトランジスタをスイッチングしてスピーカ９を駆動する。これによりカーオーディオ装置１では、所望する音楽を試聴できるようになされている。
【００２５】
この処理において電力増幅部８は、メイン中央処理ユニット３より出力される切り換え信号Ｓ２によりスイッチング周波数を切り換える。ここで図３は、電力増幅部８を周辺構成と共に詳細に示すブロック図である。電力増幅部８において、インターフェース１０は、出力レベル調整部７より出力されるオーディオ信号Ｓ１を信号処理回路１１に出力する。
【００２６】
分周器１２は、図示しない発振回路より出力されるマスタクロックＭＣＫを分周することにより、クロックＣＬＫを出力する。なおこのカーオーディオ装置１では、このマスタクロックＭＣＫを分周して得られるチャンネルクロックがソース再生部２、放送受信部４から出力されるオーディオ信号に同期するようになされ、このマスタクロックＭＣＫが全体の動作基準に設定されるようになされている。分周器１２は、メイン中央処理ユニット３より出力される切り換え信号Ｓ２により分周比を切り換え、これによりクロックＣＬＫの周波数を切り換える。分周器１２は、この分周比の切り換えをフリップフロップの段数の切り換えにより実行し、これによりクロックＣＬＫの周波数を第１の周波数ｆ１とこの第１の周波数に対して２倍の周波数である周波数ｆ２とで切り換えるようになされている。これにより電力増幅部８は、スイッチング周波数を切り換えるようになされている。
【００２７】
信号処理回路１１は、分周器１２より出力されるクロックＣＬＫを基準にしたパルス幅変調、１ビットΣΔ変調等により、インターフェース１０を介して入力されるオーディオ信号Ｓ１を処理することにより、このオーディオ信号Ｓ１の信号レベルに応じてパルス幅が変化してなるパルス幅変調信号を生成して出力する。ドライバ１３は、信号処理回路１１より出力されるパルス幅変調信号により電界効果型トランジスタ１４及び１５の動作を相補的にオンオフ制御する。
【００２８】
電界効果型トランジスタ１４及び１５は、電源＋Ｖｃｃとアースとの間に直列に接続されて配置され、ドライバ１３の制御により交互にオンオフ動作を繰り返す。ローパスフィルタ１６は、電界効果型トランジスタ１４及び１５より出力される駆動信号を帯域制限してスピーカ９に出力する。これにより電力増幅部８は、ローパスフィルタ１６より出力される駆動信号によりスピーカ９を駆動する。このとき電力増幅部８は、メイン中央処理ユニット３の制御により分周器１２においてクロックＣＬＫの周波数が切り換えられることにより、メイン中央処理ユニット３の制御によりスイッチング周波数を切り換える。
【００２９】
操作部１７は、押圧操作子、回転操作子等の操作子が配置され、この操作子のユーザーによる操作をメイン中央処理ユニット３に通知する。
【００３０】
メイン中央処理ユニット３は、このカーオーディオ装置１全体の動作を制御するコントローラであり、操作部１７からの通知に応動して放送受信部４、ソース再生部２等の動作を制御し、これによりユーザーの所望する音楽等を提供する。この処理において、メイン中央処理ユニット３は、放送波の受信開始が指示されると、電源立ち下げ時に記録した放送波の周波数をメモリからロードし、この周波数を受信するように放送受信部４の動作を制御する。
【００３１】
さらにメイン中央処理ユニット３は、このようにして放送波の受信を開始して、この放送波の受信が中波による放送波の場合、図１の処理手順を実行することにより受信周波数に応じて電力増幅部８のスイッチング周波数を切り換える。
【００３２】
すなわちメイン中央処理ユニット３は、この処理手順を開始すると、ステップＳＰ１からステップＳＰ２に移り、受信する放送波の周波数が所定の判定基準周波数より高い周波数（ＨＩ）か否（ＬＯＷ）か判断する。ここで判定基準周波数は、分周器１２により切り換えられるクロックＣＬＫの周波数ｆ１、ｆ２のほぼ中間の周波数であり、このクロックＣＬＫ１の切り換えにより電力増幅部８を動作させた際に、不要輻射による電界強度がほぼ等しくなる周波数である。
【００３３】
ここで受信周波数がこの判定基準周波数より高い場合、メイン中央処理ユニット３は、ステップＳＰ２からステップＳＰ３に移り、クロックＣＬＫの周波数を周波数が低い側に設定するように制御信号Ｓ２を出力した後、ステップＳＰ４に移る。
【００３４】
これに対して受信周波数がこの判定基準周波数より低い場合、メイン中央処理ユニット３は、ステップＳＰ２からステップＳＰ５に移り、クロックＣＬＫの周波数を周波数が高い側に設定するように制御信号Ｓ２を出力した後、ステップＳＰ４に移る。これらによりメイン中央処理ユニット３は、受信周波数より遠ざかるように電力増幅部８のスイッチング周波数を設定する。
【００３５】
またこのようにスイッチング周波数を設定した後において、メイン中央処理ユニット３は、ステップＳＰ４において、ユーザーによる選局操作により受信周波数が切り換えられたか否か判断し、ここで否定結果が得られると、ステップＳＰ４を繰り返すのに対し、肯定結果が得られると、ステップＳＰ２に戻る。
【００３６】
（１−２）実施の形態の動作
以上の構成において、このカーオーディオ装置１においては（図２）、ユーザーによる操作部１７の操作によりコンパクトディスク、ミニディスク、ハードディスク、メモリカード等に記録されたオーディオ信号の再生が指示されると、メイン中央処理ユニット３の制御によりソース再生部２が動作を立ち上げ、これらの記録媒体よりオーディオ信号が再生される。さらにこのオーディオ信号が入力切り換え部６を介して出力レベル調整部７に入力され、音質、音量が補正された後、電力増幅部８において、このオーディオ信号に応じて、パルス幅変調信号が生成される。これによりこのカーオーディオ装置１では、このパルス幅変調信号により最終段のトランジスタがスイッチングされてスピーカ９が駆動され、各種記録媒体に記録された音楽等を楽しむことができるようになされている。
【００３７】
これに対して操作部１７からの通知により放送波の受信が指示されると、放送受信部４が動作を立ち上げ、中波又はＦＭ放送による放送波が受信され、受信した放送波によるオーディオ信号が入力切り換え部６を介して出力レベル調整部７に入力される。これによりこのカーオーディオ装置１では、放送波を受信して得られるオーディオ信号によりスピーカ９が駆動される。
【００３８】
これらの処理において、カーオーディオ装置１では、電力増幅部８がスイッチング方式の電力増幅回路であることにより、数１００〔ｋＨｚ〕〜数〔ＭＨｚ〕の周波数の範囲で不要輻射が発生し、記録媒体等の再生については、不要輻射による影響がオーディオ信号の視聴には何ら影響を与えないものの、中波による放送波を受信する場合には、放送波の受信に影響を与え、甚だしい場合には放送波を受信できなくなる。
【００３９】
このためカーオーディオ装置１では、中波による放送波を受信する場合には、メイン中央処理ユニット３により受信周波数が所定の判定基準周波数を基準にして判定され、この判定結果により受信周波数から遠ざかるように、電力増幅部８のスイッチング周波数が切り換えられる。これによりカーオーディオ装置１では、放送波の受信に影響を与えないように、電力増幅部８のスイッチング周波数が切り換えられ、スイッチング方式による電力増幅回路を有する場合でも、所望する番組を確実に試聴することができる。
【００４０】
図４は、電力増幅部８のスイッチング周波数を周波数８３０〔ｋＨｚ〕に設定した場合の不要輻射の周波数分布（符号ａにより示す）と、周波数１．２５〔ＭＨｚ〕に設定した場合の不要輻射の周波数分布（符号ｂにより示す）とを示す特性曲線図である。通常、中波における受信可能な実用電界強度は、３５〔ｄＢμＶ〕（符号ｃにより示す）程度あれば十分と言われていることから、この場合、これら周波数８３０〔ｋＨｚ〕と１．２５〔ＭＨｚ〕との間の、ほぼ周波数１〔ＭＨｚ〕に判定基準周波数を設定してスイッチング周波数を切り換えることにより、全ての周波数帯域において、中波の放送波を確実に受信できることが判る。
【００４１】
（１−３）実施の形態の効果
以上の構成によれば、受信周波数に応じて、電力増幅回路のスイッチング周波数を切り換えることにより、不要輻射の影響を有効に回避することができ、これによりスイッチング方式による電力増幅回路を有する場合でも、所望する番組を確実に試聴することができる。
【００４２】
具体的に、スイッチング周波数を受信周波数から遠ざけるように切り換えることにより、確実に不要輻射の影響を回避することができる。
【００４３】
（２）第２の実施の形態
図５は、本発明の第２の実施の形態に係るカーオーディオ装置に適用される電力増幅部を示すブロック図である。この実施の形態に係るカーオーディオ装置では、この電力増幅部の構成が相違する点、さらにこの電力増幅部の構成の相違によりメイン中央処理ユニット３の制御が異なる点を除いて、第１の実施の形態に係るカーオーディオ装置１と同一に構成される。このため以下の説明においては、適宜、第１の実施の形態の構成を流用してこの実施の形態を説明する。
【００４４】
この電力増幅部１８においては、第１の実施の形態について上述した電力増幅部８と同一構成であるインターフェース１０を介してオーディオ信号Ｓ１を入力した後、信号処理回路２１でパルス幅変調信号を生成し、ドライバ１３を介して、このパルス幅変調信号により電界効果型トランジスタ１４及び１５をオンオフ制御する。
【００４５】
この処理において、信号処理回路２１は、遅延回路２０を介して、電界効果型トランジスタ１４及び１５の接続中点より得られるスピーカ９の駆動信号を帰還するようになされ、これによりＦ＝１／（ｔ＋ｔ１＋ｔ２＋ｔ３）により表される周波数によりパルス幅変調信号を生成するようになされている。なおここでｔは、この電力増幅部１８の基本スイッチング周期であり、時間ｔ１は、信号処理回路２１でパルス幅変調信号を生成してドライバ１３に供給するまでに要する遅延時間である。また時間ｔ２は、ドライバ１３に入力されたパルス幅変調信号により電界効果型トランジスタ１４及び１５をオンオフ制御するまでに要する遅延時間であり、時間ｔ３は、スピーカ９の駆動信号を信号処理回路２１に帰還するのに要する遅延時間である。
【００４６】
この電力増幅部１８は、メイン中央処理ユニット３から出力される制御信号Ｓ２により遅延回路２０における遅延時間が変化し、これによりスピーカ９の駆動信号を信号処理回路２１に帰還するのに要する遅延時間ｔ３を変化させて、スイッチング周波数Ｆを変更できるようになされている。これによりこの実施の形態においては、電力増幅部１８における遅延時間の制御によりスイッチング周波数を切り換えるようになされている。
【００４７】
図５は、この電力増幅部１８に係るメイン中央処理ユニット３の処理手順を示すフローチャートである。メイン中央処理ユニット３は、中波による放送波の受信がユーザーにより指示されると、ステップＳＰ１１からステップＳＰ１２に移り、指示に係る受信周波数が現在のスイッチング周波数Ｆより所定周波数以上、離間しているか否か判断する。なおこのステップＳＰ１２において、メイン中央処理ユニット３は、実際上、受信周波数とスイッチング周波数Ｆとが１０〔ｋＨｚ〕以上離れているか否か判断する。
【００４８】
ここで肯定結果が得られると、メイン中央処理ユニット３は、何らスイッチング周波数Ｆを切り換えることなく、ステップＳＰ１３に移る。これに対してステップＳＰ１２で否定結果が得られると、中央処理ユニット３は、ステップＳＰ１２からステップＳＰ１４に移り、ここで遅延回路２０における遅延時間を可変し、スイッチング周波数Ｆを受信周波数から所定周波数以上遠ざけた後、ステップＳＰ１３に移る。
【００４９】
これによりメイン中央処理ユニット３は、放送波の受信に影響を与えないように、スイッチング周波数を設定した後、ステップＳＰ１３でユーザーによる受信周波数の切り換えを待機し、受信周波数が切り換えられると、ステップＳＰ１２に戻る。
【００５０】
この実施の形態のように、遅延時間を可変してスイッチング周波数を可変するようにしても、第１の実施の形態と同様の効果を得ることができる。
【００５１】
（３）第３の実施の形態
（３−１）第３の実施の形態の構成
図７は、本発明の第３の実施の形態に係るカーオーディオ装置を示すブロック図である。このカーオーディオ装置３１では、スイッチング電源２２、２３、電力増幅部２４に設けられた昇圧回路２５により動作用電源を生成するように構成され、クロック生成回路２６において、これらスイッチング電源２２、２３、昇圧回路２５における動作基準のクロックＣＫ１〜ＣＫ３、電力増幅部２４の動作基準のクロックＣＫ４を１つの生成基準信号より生成するようになされている。カーオーディオ装置３１は、この生成基準信号の周波数を受信周波数に応じて切り換えることにより、中波の受信に影響を与えないように、電力増幅部２４のスイッチング周波数を切り換え、またこの切り換えに連動して、スイッチング電源２２、２３、昇圧回路２５のスイッチング周波数を切り換える。なおこの図７の構成において、図２について上述したカーオーディオ装置１と同一の構成は、対応する符号を付して示し、重複した説明は省略する。
【００５２】
すなわちこのカーオーディオ装置３１においては、メイン中央処理ユニット２７により全体の動作が制御されて、放送受信部４で受信して得られるオーディオ信号、ソース再生部２でコンパクトディスク等を再生して得られるオーディオ信号を入力切り換え部６で選択して出力レベル調整部７に入力し、ここで音量、音質等を補正し、このオーディオ信号Ｓ１により続く電力増幅部２４でスピーカ９を駆動する。これによりこのカーオーディオ装置１においては、所望する放送番組等を試聴できるようになされている。
【００５３】
このカーオーディオ装置３１において、表示部２９は、プラズマディスプレイによる表示手段であり、メイン中央処理ユニット２７の制御により、放送受信部４における受信チャンネル等を表示する。
【００５４】
スイッチング電源２２は、この表示部２９の動作用電源を供給する。すなわちスイッチング電源２２は、ＣＲ型の発振回路を有するスイッチングレギュレータであり、このＣＲ型発振回路のトリガ信号としてクロックＣＫ１を入力し、これによりクロックＣＫ１に同期してスイッチング動作するようになされている。
【００５５】
これに対してスイッチング電源２３は、メイン中央処理ユニット２７の動作用電源等を供給するスイッチングレギュレータであり、スイッチング電源２２と同様に、内蔵のＣＲ型発振回路のトリガ信号としてクロックＣＫ２を入力し、これによりクロックＣＫ２に同期してスイッチング動作するようになされている。
【００５６】
電力増幅部２４は、スイッチング方式による電力増幅回路であり、出力レベル調整部７から出力されるオーディオ信号Ｓ１に応じて、パルス幅変調信号を生成し、このパルス幅変調信号により最終段のトランジスタをスイッチングしてスピーカ９を駆動する。これによりカーオーディオ装置１では、所望する音楽を試聴できるようになされている。
【００５７】
すなわち図５との対比により図８に示すように、この実施の形態において、電力増幅部２４は、信号処理回路１１の動作基準がクロックＣＫ４に設定され、また電界効果型トランジスタ１４及び１５が昇圧回路２５から出力される電源に接続される点を除いて、第１の実施の形態に係る電力増幅部８と同一に構成される。これによりこの電力増幅部２４は、クロックＣＫ４に同期して、昇圧回路２５から出力される電源によりスイッチング動作してスピーカ９を駆動するようになされている。
【００５８】
ここで昇圧回路２５は、電源＋Ｖｃｃを昇圧して出力するスイッチングレギュレータであり、内蔵のＣＲ型発振回路のトリガ信号としてクロックＣＫ３を入力し、これによりクロックＣＫ３に同期してスイッチング動作するようになされている。これによりこの電力増幅回路２４では、電源＋Ｖｃｃを昇圧した分、スピーカ９を大電力により駆動できるようになされている。
【００５９】
周波数監視回路３０は、この電力増幅回路２４のスイッチング周波数を監視し、監視結果をメイン中央処理ユニット２７に出力する（図７）。
【００６０】
メイン中央処理ユニット２７は、このカーオーディオ装置３１全体の動作を制御するコントローラであり、操作部１７からの通知に応動して放送受信部４、ソース再生部２等の動作を制御し、これによりユーザーの所望する音楽等を提供する。この処理において、メイン中央処理ユニット２７は、周波数監視回路３０による監視結果に基づいて、クロック生成回路２６の動作を制御し、これにより電力増幅部２４、スイッチング電源２２、２３、昇圧回路２５のスイッチング周波数を所定周波数に保持する。
【００６１】
また操作部１７による操作により放送波の受信開始が指示されると、電源立ち下げ時に記録した放送波の周波数を図示しないメモリからロードし、この周波数を受信するように放送受信部４の動作を制御する。メイン中央処理ユニット２７は、このようにして放送波の受信を開始する際に、この放送波の受信が中波による放送波の場合、受信周波数に応じてクロック生成回路２６の動作を切り換え、これにより第１の実施の形態について上述したと同様にして、中波の受信に影響を与えないように、電力増幅部２４のスイッチング周波数を切り換え、またこの切り換えに連動してスイッチング電源２２、２３、昇圧回路２５のスイッチング周波数を切り換える。
【００６２】
しかしてクロック生成回路２６は、図９に示すように、内蔵の水晶発振回路３１により生成される基準信号を分周回路３２で分周してマスタクロックＭＣＫを生成し、またこの基準信号を分周回路３３で分周して所定の生成基準信号ＭＣＫ１を生成する。クロック生成回路２６は、この生成基準信号ＭＣＫ１を分周回路３４によりそれぞれ所定の分周比で分周してクロックＣＫ１〜ＣＫ４を生成するようになされ、メイン中央処理ユニット２７の制御により、分周回路３３の分周比を切り換えてこの生成基準信号ＭＣＫ１の周波数を切り換えることにより、クロックＣＫ１〜ＣＫ４の周波数を切り換えるようになされている。
【００６３】
このカーオーディオ装置３１において、このクロック生成回路２６は、電力増幅回路２４、昇圧回路２５、スイッチング電源２２、２３と一体にハイブリッドＩＣに集積回路化され、これにより全体構成を簡略化するようになされている。
【００６４】
（３−２）第３の実施の形態の動作
以上の構成において、このカーオーディオ装置３１においては（図７）、ユーザーによる操作部１７の操作によりコンパクトディスク、ミニディスク、ハードディスク、メモリカード等に記録されたオーディオ信号の再生が指示されると、メイン中央処理ユニット２７の制御によりソース再生部２が動作を立ち上げ、これらの記録媒体よりオーディオ信号が再生される。さらにこのオーディオ信号が入力切り換え部６を介して出力レベル調整部７に入力され、音質、音量が補正された後、電力増幅部２４において、このオーディオ信号に応じて、パルス幅変調信号が生成される。これによりこのカーオーディオ装置３１では、このパルス幅変調信号により最終段のトランジスタがスイッチングされてスピーカ９が駆動され、各種記録媒体に記録された音楽等を楽しむことができるようになされている。
【００６５】
これに対して操作部１７からの通知により放送波の受信が指示されると、放送受信部４が動作を立ち上げ、中波又はＦＭ放送による放送波が受信され、受信した放送波によるオーディオ信号が入力切り換え部６を介して出力レベル調整部７に入力される。これによりこのカーオーディオ装置３１では、放送波を受信して得られるオーディオ信号によりスピーカ９が駆動される。
【００６６】
カーオーディオ装置３１では、このような放送波の受信チャンネル等が表示部２９で表示され、この表示部２９がスイッチングレギュレータ構成のスイッチング電源２２の電源により動作する。またメイン中央処理ユニット２７等においては、スイッチングレギュレータ構成のスイッチング電源２２の電源により動作する。また電力増幅部２４においては、電源＋Ｖｃｃをスイッチングレギュレータによる昇圧回路２５で昇圧して得られる電源により動作して、大電力によりスピーカ９を駆動する（図８）。
【００６７】
これによりカーオーディオ装置３１では、電力増幅部２４のスイッチング動作による不要輻射だけでなく、スイッチング電源２２、２３、昇圧回路２５のスイッチング動作によっても不要輻射が発生し、中波による放送波を受信する場合には、第１、第２の実施の形態に比して一段と放送波の受信に影響を与え、甚だしい場合には放送波を受信できなくなる。
【００６８】
このためカーオーディオ装置３１では、中波による放送波を受信する場合には、受信周波数に応じてメイン中央処理ユニット２７によるクロック生成回路２６の制御により、電力増幅部２４の動作基準であるクロックＣＫ４の周波数が切り換えられ、これにより電力増幅部２４のスイッチング周波数が切り換えられる。またこれと連動してスイッチング電源２２、２３、昇圧回路２５の動作基準であるクロックＣＫ１〜ＣＫ３の周波数が切り換えられ、これによりスイッチング電源２２、２３、昇圧回路２５のスイッチング周波数が切り換えられ、これらによりカーオーディオ装置３１では、放送波の受信に影響を与えないように設定されて所望する番組を確実に試聴することができる。
【００６９】
このようにしてこれらのスイッチング周波数を切り換えるにつき、このカーオーディオ装置３１では、これら動作基準のクロックＣＫ１〜ＣＫ４を１つの生成基準信号ＭＣＫ１より生成し（図９）、この生成基準信号ＭＣＫ１の周波数の切り換えにより、これらのクロックＣＫ１〜ＣＫ４をまとめて切り換えることにより、簡易な構成により電力増幅部２４のスイッチング周波数、スイッチング電源２２、２３、昇圧回路２５のスイッチング周波数を切り換えることができる。
【００７０】
またこのような電力増幅部２４、昇圧回路２５を集積回路化したことにより、されにはこれらにスイッチング電源２２、２３を加えて集積回路化したことにより、カーオーディオ装置３１において相対的に発熱量の大きな回路をまとめて効率良く放熱を図ることができ、これによりカーオーディオ装置３１における内部の温度上昇を低減し、その分、高出力により音楽等を試聴することができる。
【００７１】
またこの集積回路に、スイッチング周波数の切り換えに係る構成をまとめたことにより、その分、全体構成を簡略化し、中波の受信に対する妨害を確実に防止することができる。
【００７２】
（３−３）第３の実施の形態の効果
以上の構成によれば、放送受信部４における中波の受信周波数に応じて、生成基準信号ＭＣＫ１の周波数を切り換えることにより、放送受信部４における中波の受信に影響を与えないように、放送受信部４における中波の受信周波数に応じて、電力増幅回路２４のスイッチング周波数と、複数のスイッチングレギュレータ回路２２、２３、２５のスイッチング周波数とを連動させて切り換えることにより、スイッチング方式による電力増幅回路を有する場合であって、さらにスイッチング電源により動作用電源を生成する場合に、所望する番組を確実に試聴することができる。
【００７３】
またこれらのスイッチングレギュレータ回路の１つである昇圧回路２５を電力増幅回路２４と一体に集積回路化することにより、全体構成を簡略化して大出力により番組を試聴することができる。
【００７４】
（４）他の実施の形態
なお上述した第２の実施の形態においては、帰還回路における遅延時間の可変によりスイッチング周波数を可変する場合について述べたが、本発明はこれに限らず、他の遅延時間ｔ１、ｔ２を可変することによりスイッチング周波数を可変するようにしても、同様の効果を得ることができる。
【００７５】
また上述の実施の形態においては、中波の放送波を受信する場合に、スイッチング周波数を可変する場合について述べたが、本発明はこれに限らず、必要に応じて、例えば短波の放送波を受信する場合にも、スイッチング周波数を切り換えるようにしてもよい。
【００７６】
また上述の実施の形態においては、中波の放送波によるオーディオ信号を電力増幅回路で増幅する場合に、スイッチング周波数を切り換える場合について述べたが、本発明はこれに限らず、例えば中波の放送波によるオーディオ信号をレコーディングしながら、コンパクトディスクの音楽を楽しむ場合も考えられることにより、中波の放送波を受信している場合に、広く適用することができる。
【００７７】
また上述の実施の形態においては、乗用車等の車載装置であるカーオーディオ装置に本発明を適用する場合について述べたが、本発明はこれに限らず、例えば列車、船舶等の各種移動体に搭載されるオーディオ装置、さらには家庭用のオーディオ装置等に広く適用することができる。
【００７８】
【発明の効果】
上述のように本発明によれば、受信周波数に応じて、スイッチング周波数を可変することにより、スイッチング方式による電力増幅回路を有する場合でも、所望する番組を確実に試聴することができる。
【図面の簡単な説明】
【図１】本発明の実施の形態に係るカーオーディオ装置におけるメイン処理ユニットの処理手順を示すフローチャートである。
【図２】本発明の第１の実施の形態に係るカーオーディオ装置を示すブロック図である。
【図３】図２のカーオーディオ装置における電力増幅部とその周辺構成を示すブロック図である。
【図４】電界強度の測定結果を示す特性曲線図である。
【図５】本発明の第２の実施の形態に係るカーオーディオ装置の電力増幅部とその周辺構成を示すブロック図である。
【図６】本発明の第２の実施の形態に係るカーオーディオ装置におけるメイン処理ユニットの処理手順を示すフローチャートである。
【図７】本発明の第３の実施の形態に係るカーオーディオ装置を示すブロック図である。
【図８】図７のカーオーディオ装置の電力増幅部を示すブロック図である。
【図９】図７のカーオーディオ装置のスイッチング周波数に切り換えに供する構成を示すブロック図である。
【符号の説明】
１、３１……カーオーディオ装置、３、２７……メイン中央処理ユニット、４……放送受信部、５……アンテナ、８、１８、２４……電力増幅部、９……スピーカ、２２、２３……スイッチング電源、２５……昇圧回路、２６……クロック生成回路
【図１】
2004048701.tif 000003
【図２】
2004048701.tif 000004
【図３】
2004048701.tif 000005
【図４】
2004048701.tif 000006
【図５】
2004048701.tif 000007
【図６】
2004048701.tif 000008
【図７】
2004048701.tif 000009
【図８】
2004048701.tif 000010
【図９】
2004048701.tif 000011